(57)【要約】【課題】ピックアップローラを容易に交換でき、簡素な構造の給紙装置を提供する。【解決手段】本給紙装置１では、用紙載置部５を開放した状態と覆う状態とに開閉する給紙カバー４と、給紙カバー４を開けるときに操作するレバー１０を有している。給紙カバー４には、基端部１４ａが回動自在に支持され、先端部１４ｂにピックアップローラ８が設けられた支持アーム１４を有している。支持アーム１４に第１の係合部としての鉤部２１が設けられ、レバー１０に第２の係合部としての支軸１２が設けられている。第２の係合部は、第１の係合部と係合して、ピックアップローラ８が所定の位置としての凹部１３ａ内に位置するように支持アーム１４を係止する。レバー１０の操作に連動して、第１および第２の係合部の係合を解除する。係合の解除状態で、支持アーム１４を回動させて、ピックアップローラ８を交換し易い位置に移動させることができる。【選択図】図５
2007168930.tif 000002
【特許請求の範囲】
【請求項１】
用紙を載置するための用紙載置部と、
上記用紙載置部に載置された用紙の移動方向先端側部分を開放した状態と覆う状態とに開閉する給紙カバーと、
上記給紙カバーに備えられ当該給紙カバーを開けるときに操作するレバーと、
上記給紙カバーに備えられ、基端部が回動自在に支持され、先端部に用紙を繰り出すためのピックアップローラが備えられた支持アームと、
上記支持アームに設けられた第１の係合部と、
上記レバーに設けられた第２の係合部であって、第１の係合部と係合して、ピックアップローラが所定の位置になるように支持アームを係止し、レバーの操作に連動してその係合を解除する第２の係合部とを含むことを特徴とする給紙装置。
【請求項２】
請求項１に記載の給紙装置において、
上記第２の係合部は、上記レバーを支持する支軸を含み、
上記レバーが、支軸の回りに回動操作されたときに、支軸が弾力的に撓むことにより、支軸から第１の係合部が外れることを特徴とする給紙装置。
【請求項３】
請求項２に記載の給紙装置において、
上記レバーは、カバーの開閉のために第１の角度範囲で回動され、第１および第２の係合解除のために第１の角度範囲とは異なる第２の角度範囲で回動されることを特徴とする給紙装置。
【発明の詳細な説明】
【技術分野】
【０００１】
この発明は、例えば、複写機、ファクシミリ、スキャナーに用いられる給紙装置に関する。
【背景技術】
【０００２】
給紙装置は、例えば、用紙搬送路を区画する装置本体と、この装置本体に対向して配置されて用紙搬送路を区画する給紙カバーとを有している。用紙搬送路に用紙を送るために、給紙カバーには、搬送用のローラが回転自在に配置され、このローラは、揺動自在に支持された支持アームを介して、給紙カバーに支持されている。給紙カバーは、装置本体に対して開閉できるようになっていて、用紙搬送路でのジャム処理をするときには、レバー操作により給紙カバーを開くようになっている（例えば、特許文献１参照。）。
【特許文献１】特開平１１−１８０５８５号公報
【発明の開示】
【発明が解決しようとする課題】
【０００３】
ところで、給紙装置が、給紙カバーにピックアップローラと呼ばれる給紙用のローラを有している場合がある。このローラは、駆動されて回転することにより、積層された用紙の最上部の一枚を取り出して、搬送するようになっている。一方で、用紙を確実に繰り出すために、ローラの表面は軟質に形成される傾向にあり、長期間使用すると、傷むことがある。このような場合、ピックアップローラを交換する必要がある。
【０００４】
しかし、従来の給紙装置では、通例、ピックアップローラの交換について何ら考慮されていない。また、特許文献１の給紙カバーのローラも同様であり、例えば、ローラは、給紙カバー内部に配置されていて、交換に手間がかかる。
また、ピックアップローラの交換のために、給紙装置の構造が複雑化することは好ましくない。
【０００５】
そこで、この発明の目的は、ピックアップローラを容易に交換でき、簡素な構造の給紙装置を提供することである。
【課題を解決するための手段】
【０００６】
本発明の給紙装置は、用紙を載置するための用紙載置部と、上記用紙載置部に載置された用紙の移動方向先端側部分を開放した状態と覆う状態とに開閉する給紙カバーと、上記給紙カバーに備えられ当該給紙カバーを開けるときに操作するレバーと、上記給紙カバーに備えられ、基端部が回動自在に支持され、先端部に用紙を繰り出すためのピックアップローラが備えられた支持アームと、上記支持アームに設けられた第１の係合部と、上記レバーに設けられた第２の係合部であって、第１の係合部と係合して、ピックアップローラが所定の位置になるように支持アームを係止し、レバーの操作に連動してその係合を解除する第２の係合部とを含むことを特徴とする。
【０００７】
この発明によれば、レバーを操作して、第１および第２の係合部の係合を解除し、支持アームを回動させて、ピックアップローラを交換し易い位置に移動させることができる。従って、ピックアップローラを容易に交換することが可能となる。また、レバーを操作しないときには、支持アームを係止し、ピックアップローラを所定の位置に保持して、ピックアップローラにより用紙を繰り出すことができる。また、レバーを、給紙カバーの開閉用と支持アームの回動の解除用とで兼用するので、構造を簡素化できる。
【０００８】
また、本発明において、上記第２の係合部は、上記レバーを支持する支軸を含み、上記レバーが、支軸の回りに回動操作されたときに、支軸が弾力的に撓むことにより、支軸から第１の係合部が外れる場合がある。この場合、第２の係合部と支軸とを一体化できるので、構造を簡素化できる。
また、本発明において、上記レバーは、カバーの開閉のために第１の角度範囲で回動され、第１および第２の係合解除のために第１の角度範囲とは異なる第２の角度範囲で回動される場合がある。この場合、例えば、通常の用紙の詰まり（ジャム）の処理時と、ピックアップローラの交換時とで、レバーの回動の角度範囲を異ならせることができる。その結果、ジャム処理時に、第１および第２の係合部の係合が不用意に解除されることがなく、支持アームがジャム処理に邪魔になることがない。
【発明を実施するための最良の形態】
【０００９】
以下では、この発明の実施の形態を、添付図面を参照して詳細に説明する。
本実施形態では、給紙装置が、画像形成装置としての複写機に設けられた原稿給送装置である場合に則して説明するが、本発明はこれに限らず、例えば、給紙装置が、ファクシミリ、スキャナー等の画像読取装置に設けられた原稿給送装置であってもよいし、プリンタ、複写機、ファクシミリ等の画像形成装置の記録用紙供給部であってもよい。
【００１０】
図１は、本発明の一実施形態の給紙装置の斜視図である。図１を参照する。給紙装置１は、複写機２の上面２ａに配置される。この上面２ａには、複写機２の画像読取装置が設けられている。給紙装置１は、複写機２の画像読取装置を覆うように配置されている。
給紙装置１は、装置本体３と、この装置本体３に開閉可能に取り付けられた給紙カバー４とを有している。給紙カバー４は、通常時は図１に示すように閉じられていて、この状態で、用紙が搬送される。
【００１１】
装置本体３は、複写機２の上面２ａを覆うように平面視で略長方形に形成されている。装置本体３は、原稿としての複数の用紙（用紙束）を積層状態で載置するための用紙載置部５と、用紙載置部５から送られた用紙を溜めておくための排紙トレイ６とを有している。排紙トレイ６は、用紙載置部５の下方に配置されている。
給紙装置１は、用紙載置部５に載せられた用紙を送るための搬送機構７を有するとともに、装置本体３と給紙カバー４との間に搬送路（図示せず）を区画している。
【００１２】
搬送機構７は、用紙載置部５に載置された用紙を一枚ずつ繰り出すためのピックアップローラ８と、給紙ベルト（図示せず）と、分離ローラ（図示せず）とを有している。ピックアップローラ８は、給紙カバー４の下面側に配置されて、用紙載置部５の端部に対向している。給紙カバー４が閉じられた状態で、ピックアップローラ８は、用紙載置部５に載置された用紙束のなかで最も上方に位置している用紙の上面に当接するようにされている。給紙ベルトは、給紙カバー４に設けられて、回転駆動される。分離ローラは、装置本体３に設けられて、給紙ベルトに対向して摺接する。給紙ベルトと分離ローラとは、ピックアップローラ８よりも用紙の搬送方向下流側に配置されている。搬送機構７は、用紙載置部５に載置された用紙束から順次一枚ずつ用紙を分離して所定方向Ｆ１へ送り出す。
【００１３】
給紙装置１では、用紙載置部５に載せられた用紙は、搬送機構７により所定方向Ｆ１へ送られる。送られた用紙は、搬送路を通り下方に送られて、複写機２の上面２ａを経て上述の所定方向Ｆ１とは逆向きに排紙トレイ６に送られる。
給紙カバー４は、用紙の詰まりを解消するために、開閉可能とされている。給紙カバー４の一方の端部が、装置本体３の長手方向について装置本体３の端部に取り付けられていて、回動軸線４ａの回りに回動可能に支持されている。この回動軸線４ａは、装置本体３の短手方向と平行に延びている。給紙カバー４は、回動軸線４ａの回りに回動することにより、開放状態と覆う状態とに開閉することができる。
【００１４】
図２は、図１に示す給紙装置の概略構成を示す模式図であり、給紙カバー４の覆う状態であり且つ用紙を搬送するための状態を示す。図３は、図１に示す給紙装置の概略構成を示す模式図であり、給紙カバー４の覆う状態であり且つ用紙を搬送しない状態を示す。
図１および図２を参照して、給紙カバー４は、覆う状態で、上述の搬送路を覆い、用紙載置部５の端部を覆い、用紙載置部５に載置された用紙９の端部９ａを覆うことができる。この用紙９の端部９ａは、用紙載置部５に載置された用紙９が搬送機構７により移動する所定方向Ｆ１に沿って下流側（移動方向先端側に相当する。）にある用紙９の端部９ａである。この端部９ａの上面に当接できるようにピックアップローラ８が配置されている。
【００１５】
給紙カバー４が覆う状態であるときには、ピックアップローラ８は、給紙カバー４内に配置されて、ピックアップローラ８の下部のみが用紙載置部５に臨んでいる。
また、用紙載置部５は、上下方向に沿って移動できるように装置本体３に支持されていて、図示しない駆動源により駆動される。図３を参照して、給紙カバー４が覆う状態であり且つ用紙を搬送しないとき、例えば用紙が載せられていないときには、用紙載置部５は下方へ移動している。また、図２を参照して、給紙カバー４が覆う状態であり且つ用紙を搬送するときには、用紙載置部５は上方へ移動して、その上に載せた用紙をピックアップローラ８に当接させるようになっている。
【００１６】
図４は、図１に示す給紙装置の概略構成を示す模式図であり、給紙カバー４の開放状態であり且つ用紙のつまりを解消するための状態を示す。図５は、図１に示す給紙装置の概略構成を示す模式図であり、給紙カバー４の開放状態であり且つピックアップローラ８のメンテナンスのための状態を示す。図６は、図４に示す状態の給紙カバー４を斜め下方から見た斜視図である。図７は、図５に示す状態の給紙カバー４の要部を斜め下方から見た斜視図である。
【００１７】
図１および図４を参照して、給紙カバー４は、開放状態で、搬送路と、用紙載置部５の端部と、上記用紙９の上記部分９ａを開放することができる。用紙の詰まりを解消するために、給紙カバー４を開放状態にする場合には、図６に示すように、ピックアップローラ８は給紙カバー４の下面に形成された凹部１３ａ内に配置されている。これにより、ピックアップローラ８が邪魔にならないので、用紙の詰まりの解消作業が容易である。
【００１８】
図５および図７を参照して、本実施形態では、給紙カバー４を開放状態としたときに、ピックアップローラ８を給紙カバー４の下面から突出させて、ピックアップローラ８の全体を露出させることができる。これにより、ピックアップローラ８を容易にメンテナンスすることができる。例えば、ピックアップローラ８を容易に交換することができる。
図６および図７を参照して、給紙カバー４は、複数の部材を有し一体的に移動可能なユニットである。給紙カバー４は、給紙カバー４を開けるときに手動操作するためのレバー１０と、給紙カバー４を覆う状態に維持するためのロック部材１１と、レバー１０を回動自在に支持するための支軸１２と、給紙カバー４の外装部材であるとともに搬送路を形成し装置本体３に開閉可能に連結されたカバー本体１３とを有している。
【００１９】
また、給紙カバー４は、上述のピックアップローラ８と、給紙ベルト（図示せず）と、給紙ベルトおよびピックアップローラ８を揺動自在に支持する支持アーム１４と、支持アーム１４の揺動中心として機能するとともに駆動軸としても機能する駆動側の支軸１５と、従動軸として機能するとともにピックアップローラ８を支持する従動側の支軸１６と、支軸１５の回動を支軸１６を経てピックアップローラ８に伝達するための駆動プーリ１７、従動プーリ１８およびベルト１９とを有している。
【００２０】
カバー本体１３に、レバー１０、支軸１２、ピックアップローラ８、支持アーム１４、支軸１５、支軸１６、駆動プーリ１７、従動プーリ１８等が取り付けられている。
支持アーム１４の基端部１４ａは、支軸１５の軸方向中間部に取り付けられていて、支軸１５に相対回動自在に支持されている。支持アーム１４の先端部１４ｂには、ピックアップローラ８および支軸１６が配置されている。支持アーム１４の先端部１４ｂは、支軸１６を相対回動自在に支持し、支軸１６を介してピックアップローラ８を支持している。支軸１６は、支軸１５と平行に配置されるとともに、ピックアップローラ８と同心に配置されている。
【００２１】
ピックアップローラ８は、図示しない駆動源としての電動モータにより駆動される。すなわち、駆動側の支軸１５は、その軸線の回りにカバー本体１３に回転自在に支持されている。支軸１５は、電動モータに連結されていて、電動モータによって駆動される。支軸１５には、その軸方向の中間部に、支持アーム１４の基端部１４ａが取り付けられている。支軸１５には、支持アーム１４の基端部１４ａの両側に、対をなす駆動プーリ１７が設けられている。駆動プーリ１７は、２つが設けられ、それぞれが支軸１５に一体回転できるように固定されている。
【００２２】
一方、支軸１６には、一対の従動プーリ１８が取り付けられていて、一体回転できるように固定されている。支軸１６の軸方向Ｓ１について、一対の従動プーリ１８の間に支持アーム１４およびピックアップローラ８が配置されている。ベルト１９は、ピックアップローラ８の回転軸方向Ｓ１（支軸１６の軸方向に相当する。）両側に対をなして配置されている。また、支軸１６には、一方向回転伝達機構としてのワンウェイクラッチが設けられ、これを介してピックアップローラ８が支軸１６に連結されている。
【００２３】
電動モータが駆動されると、回転が、支軸１５、駆動プーリ１７、ベルト１９、従動プーリ１８、支軸１６、およびワンウェイクラッチを介してピックアップローラ８に伝達される。ピックアップローラ８は、中心軸線８ｂの回りに一方向Ｒ１（図６参照）に回転して、用紙を送ることができる。一方、電動モータを停止した状態では、ピックアップローラ８は、他方向Ｒ２に回転が規制され、一方向Ｒ１への回転が許容される。このように、電動モータおよびワンウェイクラッチは、一方向回動規制手段として機能する。また、ピックアップローラ８の外周は弾性体により凹凸形状に形成されている。なお、用紙の搬送は、上述のように図２に示すように給紙カバー４の覆う状態でなされる。
【００２４】
図６および図７を参照して、本実施形態では、支持アーム１４は、カバー本体１３に揺動自在に支持されている。支持アーム１４は、用紙搬送用の所定の位置としてのカバー本体１３の凹部１３ａ内にある位置（図６参照）と、メンテナンス用の位置として支持アーム１４の先端部１４ｂがカバー本体１３から突出した位置（図７参照）とに移動できるようになっている。また、支持アーム１４は、後述するように上述の所定の位置からの移動を規制されている。この規制を解除することで、上述のような移動が可能となる。本実施形態では、規制の解除のために、給紙カバー４の開閉用のレバー１０を利用している。
【００２５】
図８は、給紙カバー４内の要部としての、主にレバー１０に関連する部分の斜視図である。図６および図８を参照する。
レバー１０は、支軸１２から径方向外方へ延びていて、支軸１２の軸方向中央部に一体回動できるように固定されている。支軸１２の両端部には、上述のロック部材１１が一対で一体回動できるように固定されている。これにより、レバー１０と一対のロック部材１１とが、支軸１２の中心軸線１２ａの回りに一体的に回動することができる。
【００２６】
支軸１２の軸方向両端部は、給紙カバー４のカバー本体１３に回動自在に支持されている。支軸１２の中心軸線１２ａは、支軸１５と平行に配置されている。レバー１０および支軸１２の回動角度範囲は、所定角度範囲Ｄ０（図１１参照）に規制されている。この所定角度範囲Ｄ０内で、レバー１０およびロック部材１１は揺動することができる。
ロック部材１１は、覆う状態を維持するためのロック機構の一部を構成している。ロック機構は、給紙カバー４に設けられた上述のロック部材１１と、これに対応して装置本体３に設けられた相手方のロック部材（図示せず）とを有している。給紙カバー４側のロック部材１１が、装置本体３側のロック部材に係合することにより、ロックが達成されて、給紙カバー４は覆う状態で維持される。
【００２７】
また、ロック部材１１は、ロックが維持される向きである所定の一方向Ｒ３に向けて回動するように付勢部材としてのばね２０により引っ張り付勢されている。
一方で、ばね２０の付勢力に抗してレバー１０が操作されると、給紙カバー４側のロック部材１１が他方向Ｒ４へ向けて変位し、給紙カバー４側のロック部材１１と装置本体３側のロック部材との係合が解除（ロック解除）される。これにより、給紙カバー４は自在に開閉できる。
【００２８】
図９は、図１の給紙カバーの要部の模式的な断面図であり、レバー１０が操作されていない状態を示す。図６および図９を参照する。
本実施形態では、給紙装置１は、カバー本体１３の凹部１３ａからの支持アーム１４の移動を規制するために、支持アーム１４に設けられた第１の係合部としての鉤部２１と、レバー１０に設けられた第２の係合部としての支軸１２の軸方向中間部とを有している。第１および第２の係合部が互いに係合することにより、ピックアップローラ８が所定の位置、すなわち、凹部１３ａ内に位置するように、支持アーム１４を係止する。また、レバー１０の操作に連動して、第１および第２の係合部の係合が解除されるようになっている。
【００２９】
鉤部２１は、支軸１５から離れた支持アーム１４の先端部１４ｂに形成されている。鉤部２１は、支軸１５の周方向に延びる腕部と、腕部の先端から支軸１５の径方向外方に向けて延びる突出部とを有している。この突出部は、支軸１２の軸方向に離隔して２箇所に設けられていて、支軸１２の軸方向中間部であってレバー１０を挟んだ両側の部分に引っ掛かって当接するようになっている。
【００３０】
図１０、図１１および図１２は、図１の給紙カバーの要部の模式的な断面図であり、図１０にレバー１０の操作途中の状態を、図１１に操作が進行した状態を、図１２にさらに操作が進行した状態を示す。
レバー１０の揺動の所定角度範囲Ｄ０は、給紙カバー４の開閉のためのロック解除用に設定された第１の角度範囲Ｄ１と、第１および第２の係合部の係合の解除のための第２の角度範囲Ｄ２とを有している。第２の角度範囲Ｄ２は、第１の角度範囲Ｄ１に隣接する角度範囲であり、第１の角度範囲Ｄ１とは異なる角度範囲である。
【００３１】
図９および図１０を参照して、第１の角度範囲Ｄ１では、支軸１２の中心軸線１２ａを中心として、軽い力でレバー１０を回動操作することができる。図９に示す第１の角度範囲Ｄ１の一方の端では、レバー１０の操作部が水平方向に延び、図１０に示す他方の端では、レバー１０の操作部が水平方向に対して小さな角度Ｄ１で斜めに延びる。また、第１の角度範囲Ｄ１の両端では、カバー本体１３とレバー１０とが互いに当接する。これにより、レバー１０を軽く回動させることができる第１の角度範囲Ｄ１が規制される。
【００３２】
図６および図１０を参照して、給紙カバー４が開かれる開操作時に、操作者がレバー１０の先端の操作部を持ち上げるように手動操作すると、レバー１０は支軸１２を中心に所定方向Ｒ４に、第１の角度範囲Ｄ１の一方の端から他方の端へ回動される。これに伴い、ロック部材１１のロック状態を解除できる。操作者が、ロックを解除したままで、給紙カバー４を持ち上げると、給紙カバー４を開くことができる（図４参照）。なお、操作者が給紙カバー４を閉じると、ロック機構はばね２０の付勢力により自律的にロック状態となる。
【００３３】
図１０および図１１を参照して、第２の角度範囲Ｄ２の一方の端（図１０参照）は、第１の角度範囲Ｄ１の他方の端に相当する。第２の角度範囲Ｄ２の他方の端（図１１参照）では、レバー１０の操作部が水平方向に対して大きな角度Ｄ２で斜めに延びる。第２の角度範囲Ｄ２では、カバー本体１３の部分２２とレバー１０の部分２３とが互いに当接する。この互いに当接する当接部としての部分２２，２３を中心として、支軸１２を弾性変形させつつ、レバー１０を回動させるようになっている。その結果、第２の角度範囲Ｄ２では、相対的に重い力でレバー１０を操作することになる。また、上述の当接部としての部分２２，２３は、支軸１２の回動軸線１２ａから離隔して位置しているので、レバー１０を第２の角度範囲の他方の端へ回動させると、レバー１０および支軸１２の軸方向中央部が、当接部２２，２３の回りに回動し、支軸１５、ひいては鉤部２１から遠ざかることになる。
【００３４】
このように、レバー１０とカバー本体１３は、第１の角度範囲での回動の中心１２ａと離隔した部分であって、第２の角度範囲において回動の中心となる部分として、例えばカバー本体１３とレバー１０とが互いに当接する当接部２２，２３を有している。
レバー１０が、支軸１２の中心軸線１２ａの回りに第１の角度範囲Ｄ１で回動操作されたときには、第２の係合部としての支軸１２と、第１の係合部としての鉤部２１とは、互いに係合している。レバー１０が、支軸１２の回りに第２の角度範囲Ｄ２で回動操作されたときに、支軸１２が弾力的に撓むことにより、鉤部２１から遠ざかる。これにより、支軸１２から鉤部２１を外すことができる。
【００３５】
すなわち、図１１に示すように、レバー１０を第２の角度範囲Ｄ２の他方の端へ移動させたときには、支軸１２の軸方向中央部が鉤部２１から遠ざかって移動している。これにより、第１および第２の係合部同士の引っ掛かり量が小さくなり、支軸１２から鉤部２１を手動操作で外すことができるようになっている。このときに、図１２に示すように、鉤部２１と支軸１２とは互いに当接しているが、ひっかかりが小さいので、支持アーム１４の先端部１４ｂを引っ張り出すようにして、支持アーム１４を支軸１５の回りに回動させると、第１および第２の係合部の係合が解除される。
【００３６】
このように、レバー１０を第２の角度範囲Ｄ２の他端に操作したときであっても、係合が弱く維持されることで、メンテナンスし易さを維持しつつ、ユーザが不用意にレバー１０を大きな角度で操作したときにピックアップローラ８が不用意に突出することが防止される。
また、鉤部２１の突出部は、支軸１５の周方向の両側に一対の傾斜面２１ａ，２１ｂを有している。第１および第２の係合部を係合させる際には、傾斜面２１ａに支軸１２の外周面を沿わせて、支軸１２を弾力的に撓ませて、鉤部２１の突出部が支軸１２の外周面を乗り越えるようになっている。また、第１および第２の係合部の係合を解除する際には、傾斜面２１ｂに支軸１２の外周面を沿わせて、支軸１２を弾力的に撓ませて、鉤部２１の突出部が支軸１２の外周面を乗り越えるようになっている。
【００３７】
このように本実施形態の給紙装置１は、ピックアップローラ８を支持する支持アーム１４に設けられた第１の係合部としての鉤部２１と、レバー１０に設けられた第２の係合部としての支軸１２とを有している。第２の係合部は、第１の係合部と係合して、ピックアップローラ８が所定の位置になるように支持アーム１４を係止し、給紙カバー４用のレバー１０の操作に連動してその係合を解除するようにしている。
【００３８】
本実施形態によれば、レバー１０を操作して、第１および第２の係合部の係合を解除し、支持アーム１４を回動させて、ピックアップローラ８を交換し易い位置に移動させることができる。従って、ピックアップローラ８を容易に交換することが可能となる。また、レバー１０を操作しないときには、支持アーム１４を係止し、ピックアップローラ８を所定の位置に保持して、ピックアップローラ８により用紙を繰り出すことができる。また、レバー１０を、給紙カバー４の開閉用と支持アーム１４の回動の解除用とで兼用しているので、構造を簡素化できる。
【００３９】
また、本実施形態では、第２の係合部として、レバー１０を支持する支軸１２が利用され、レバー１０が、支軸１２の回りに回動操作されたときに、第２の係合部としての支軸１２が弾力的に撓むことにより、支軸１２から第１の係合部としての鉤部２１が外れるようにしている。この場合、第２の係合部と支軸１２とを一体化できるので、構造を簡素化できる。
【００４０】
また、本実施形態では、レバー１０は、給紙カバー４の開閉のために第１の角度範囲Ｄ１で回動され、第１および第２の係合解除のために第１の角度範囲Ｄ１とは異なる第２の角度範囲Ｄ２で回動されるようにしている。これにより、例えば、通常のジャム処理時と、ピックアップローラ８の交換時とで、レバー１０の回動の角度範囲を異ならせることができる。その結果、例えば、ジャム処理時に、第１および第２の係合部の係合が不用意に解除されることがなく、支持アーム１４がジャム処理に邪魔になることがない。
【００４１】
また、第１および第２の係合部が係合することにより、支持アーム１４が所定の位置としての凹部１３ａ内で移動を規制されるので、支持アーム１４がジャム処理の邪魔になることを確実に防止できる。
また、本実施形態について、以下のような変形例を考えることができる。以下の説明では、上述の実施形態と異なる点を中心に説明し、同様の構成については同じ符号を付して説明を省略する。例えば、レバー１０が図１１に示す第２の角度範囲Ｄ１の他端にあるときに、第１および第２の係合部の係合が完全に解除されてもよい。
【００４２】
第２の係合部としては、支軸１２に限らず、支軸１２に一体的に固定された部材、例えばレバー１０の一部であってもよい。また、第１の係合部としては、支持アーム１４に一体的に固定された部材でもよい。その他、特許請求の範囲に記載された事項の範囲で種々の設計変更を施すことが可能である。
【図面の簡単な説明】
【００４３】
【図１】本発明の一実施形態の給紙装置の斜視図である。
【図２】図１に示す給紙装置の概略構成を示す模式図であり、給紙カバーの覆う状態であり且つ用紙を搬送するための状態を示す。
【図３】図１に示す給紙装置の概略構成を示す模式図であり、給紙カバーの覆う状態であり且つ用紙を搬送しない状態を示す。
【図４】図１に示す給紙装置の概略構成を示す模式図であり、給紙カバーの開放状態であり且つ用紙のつまりを解消するための状態を示す。
【図５】図１に示す給紙装置の概略構成を示す模式図であり、給紙カバーの開放状態であり且つピックアップローラのメンテナンスのための状態を示す。
【図６】図４に示す状態の給紙カバーを斜め下方から見た斜視図である。
【図７】図５に示す状態の給紙カバーの要部を斜め下方から見た斜視図である。
【図８】図１に示す給紙カバー内の要部の斜視図であり、主にレバーに関連する部分を示す。
【図９】図１の給紙カバーの要部の模式的な断面図であり、レバーが操作されていない状態を示す。
【図１０】図１の給紙カバーの要部の模式的な断面図であり、レバーの操作途中の状態を示す。
【図１１】図１の給紙カバーの要部の模式的な断面図であり、図１０よりも操作が進行した状態を示す。
【図１２】図１の給紙カバーの要部の模式的な断面図であり、図１１よりもさらに操作が進行した状態を示す。
【符号の説明】
【００４４】
１…給紙装置
４…給紙カバー
５…用紙載置部
８…ピックアップローラ
９…用紙
９ａ…部分（用紙の移動方向先端側部分）
１０…レバー
１２…支軸（第２の係合部）
１４…支持アーム、
１４ａ…（支持アームの）基端部
１４ｂ…（支持アームの）先端部
２１…鉤部（第１の係合部）
Ｄ１…第１の角度範囲
Ｄ２…第２の角度範囲
【図１】
2007168930.tif 000003
【図２】
2007168930.tif 000004
【図３】
2007168930.tif 000005
【図４】
2007168930.tif 000006
【図５】
2007168930.tif 000007
【図６】
2007168930.tif 000008
【図７】
2007168930.tif 000009
【図８】
2007168930.tif 000010
【図９】
2007168930.tif 000011
【図１０】
2007168930.tif 000012
【図１１】
2007168930.tif 000013
【図１２】
2007168930.tif 000014